(57)【要約】【課題】  構成が比較的単純で安価に作製でき、楽譜を収納できるとともに、不使用時には、鍵盤楽器に格納でき、通常の鍵盤楽器と同様の外観を維持することができる鍵盤楽器の楽譜収納装置を提供する。【解決手段】  楽器本体３を支持するスタンド４に設けられ、楽譜を収納するための鍵盤楽器１の楽譜収納装置５であって、スタンド４に形成された所定の格納凹部１０と、スタンド４に、格納凹部１０に格納される格納位置と、スタンド４との間に楽譜を収納するための収納部２１を形成する使用位置との間で移動自在に取り付けられた楽譜立て板材１１と、を備えている。【選択図】  図１
2005208081.tif 000002
【特許請求の範囲】
【請求項１】
楽器本体を支持するスタンドに設けられ、楽譜を収納するための鍵盤楽器の楽譜収納装置であって、
前記スタンドに形成された所定の格納凹部と、
前記スタンドに、前記格納凹部に格納される格納位置と、前記スタンドとの間に前記楽譜を収納するための収納部を形成する使用位置との間で移動自在に取り付けられた楽譜立て板材と、
を備えていることを特徴とする鍵盤楽器の楽譜収納装置。
【請求項２】
前記スタンドは、上下方向に延び、内側面に前記格納凹部が形成された側板を有し、
前記楽譜立て板材は、
一端部が前記側板に回動自在に取り付けられ、前記使用位置において、支持面に載置され、水平に支持される第１の板材と、
当該第１の板材の他端部に回動自在に取り付けられ、前記使用位置において、直立した状態で保持され、前記側板との間に前記収納部を形成する第２の板材と、
を有することを特徴とする、請求項１に記載の鍵盤楽器の楽譜収納装置。
【発明の詳細な説明】
【技術分野】
【０００１】
本発明は、鍵盤楽器に設けられ、楽譜を収納するための鍵盤楽器の楽譜収納装置に関する。
【背景技術】
【０００２】
従来の鍵盤楽器の楽譜収納装置として、例えば特許文献１に開示された楽譜収納箱が知られている。この楽譜収納箱は、前方（演奏者側）に開口しており、左右の側板と、両側板の下面間、背面間および上面間にそれぞれ取り付けられた第１の底板、第１の背面板および天板などで構成されている。各側板の後ろ下側の角部は矩形状に切り欠かれており、両角部間に、第２の底板および第２の背面板が取り付けられている。また、両側板の内側面の上部には、前後方向に延びる複数の案内溝が上下方向に並ぶように形成されており、これらの案内溝に、ほぼ矩形の板状の引き出し棚がスライド自在に係合している。以上の構成の楽譜収納箱は、その角部が、電子ピアノの下端部に左右方向に延びるペダルボックスにまたがった状態で、電子ピアノの本体の下側に設置されている。各引き出し棚には、たわみやすいピアノピースが水平に収納され、その下方の空間には、通常の厚さの楽譜が立てた状態で収納される。そして、演奏者は、電子ピアノの前方の椅子に座った状態で、楽譜収納箱から楽譜を出し入れすることができる。
【０００３】
しかし、上記の従来の楽譜収納箱は、電子ピアノの本体の下側に比較的大きなスペースを占めて設置されるので、正面側から目立って見えてしまい、電子ピアノの外観を損なう。このため、電子ピアノの外観を保ちたい場合、例えばピアノの発表会の場合には、楽譜収納箱を取り除き、保管場所に移動させなければならず、取り扱いが煩雑である。また、この楽譜収納箱は、左右の側板、天板、第１および第２の背面板、第１および第２の底板などの多数の板材や、複数の引き出し棚で構成されており、部品点数が多く、比較的高価であるという欠点がある。
【０００４】
このような不具合を解消するために、例えば、鍵盤楽器の左右の側板の部分の幅を大きくし、その内部の空間に楽譜を収納するための収納部を形成するとともに、外観を整えるために正面側に扉を設けることが考えられる。しかし、その場合には、左右の側板の部分の幅が大きいため、各側板が一枚の板材で構成される通常の鍵盤楽器と外観がかなり異なるので、ユーザーに違和感を与えるおそれがある。
【０００５】
本発明は、上記の課題を解決するためになされたものであり、構成が比較的単純で安価に作製でき、楽譜を収納できるとともに、不使用時には、鍵盤楽器に格納でき、通常の鍵盤楽器と同様の外観を維持することができる鍵盤楽器の楽譜収納装置を提供することを目的とする。
【０００６】
【特許文献１】特開２００２−２１５１４０号公報（第３〜４頁、第５図）
【発明の開示】
【課題を解決するための手段】
【０００７】
この目的を達成するために、請求項１に係る発明は、楽器本体を支持するスタンドに設けられ、楽譜を収納するための鍵盤楽器の楽譜収納装置であって、スタンドに形成された所定の格納凹部と、スタンドに、格納凹部に格納される格納位置と、スタンドとの間に楽譜を収納するための収納部を形成する使用位置との間で移動自在に取り付けられた楽譜立て板材と、を備えていることを特徴とする。
【０００８】
この鍵盤楽器の楽譜収納装置によれば、スタンドに取り付けられた楽譜立て板材が、スタンドの格納凹部に格納される格納位置と、スタンドとの間に楽譜を収納するための収納部を形成する使用位置との間で移動自在である。したがって、楽譜立て板材を格納位置から使用位置に移動させることによって、楽譜立て板材とスタンドとの間に形成された収納部に楽譜を収納することができる。一方、ピアノの発表会の場合などの不使用時には、楽譜立て板材を、使用位置から格納位置に移動させ、スタンドの格納凹部に格納することができる。このように、不使用時には、楽譜立て板材がスタンドに形成された格納凹部内に格納されるので、格納時に楽譜立て板材がスタンドからはみ出ることがなく、通常の鍵盤楽器と変わらないすっきりした外観を得ることができる。
【０００９】
請求項２に係る発明は、請求項１に記載の鍵盤楽器の楽譜収納装置において、スタンドは、上下方向に延び、内側面に格納凹部が形成された側板を有し、楽譜立て板材は、一端部が側板に回動自在に取り付けられ、使用位置において、支持面に載置され、水平に支持される第１の板材と、第１の板材の他端部に回動自在に取り付けられ、使用位置において、直立した状態で保持され、側板との間に収納部を形成する第２の板材と、を有することを特徴とする。
【００１０】
この構成によれば、スタンドの上下方向に延びる側板の内側面に格納凹部が形成されている。楽譜立て板材が使用位置に移動した状態では、第１の板材は、支持面に載置され、水平に支持されており、第２の板材は、直立した状態で保持され、スタンドの側板との間に収納部を形成する。したがって、第２の板材と側板との間の収納部に楽譜を収納できるとともに、第１の板材によって楽譜を下側から支持することができる。その結果、スタンドが左右の側板のみで構成されるような簡易型の鍵盤楽器でも、収納部を形成でき、楽譜を収納することができる。また、楽譜を収納しない場合には、第１および第２の板材を折りたたんだ状態で、格納凹部にコンパクトに格納することができる。さらに、主要な構成部品が２枚の板材のみであるので、部品点数が比較的少なく、安価に製造することができる。
【図面の簡単な説明】
【００１１】
【図１】本発明の第１実施形態による楽譜収納装置を含む電子ピアノを示す斜視図である。
【図２】図１の電子ピアノのスタンドを、楽譜立て板材の格納位置において示す部分正面図である。
【図３】図２の部分Ａおよび部分Ｂの拡大図である。
【図４】図２のＸ方向から見た側面図である。
【図５】図１の楽譜立て板材を（ａ）格納位置、（ｂ）途中経過の位置、および（ｃ）使用位置において示す部分破断正面図である。
【図６】本発明の第２実施形態による楽譜収納装置を含む電子ピアノを示す斜視図である。
【図７】楽譜立て板材の（ａ）平面図および（ｂ）側面図である。
【図８】図７の楽譜立て板材を（ａ）格納位置、（ｂ）途中経過の位置、および（ｃ）使用位置において示す部分破断正面図である。
【発明を実施するための最良の形態】
【００１２】
以下、本発明の好ましい実施形態を、図面を参照しながら、詳細に説明する。図１は、本発明の第１実施形態による楽譜収納装置を含む電子ピアノを、楽器収納装置の使用状態において示している。同図に示すように、この電子ピアノ１（鍵盤楽器）は、鍵盤２などを有するピアノ本体３（楽器本体）と、ピアノ本体３を支持するスタンド４と、スタンド４に設けられた楽譜収納装置５を備えている。スタンド４は、上下方向に延びる左右の側板６ａ，６ｂと、両側板６ａ，６ｂの後端部間に設けられた背面板７と、両側板６ａ，６ｂの下端部間に設けられたペダル土台８などで構成されている。
【００１３】
側板６ａ，６ｂは、合板などで構成され、所定の厚さ（例えば３６ｍｍ）を有し、下端部に設けられた妻土台９を介して、床面Ｆに載置されている。
【００１４】
図１および図４に示すように、ペダル土台８は、左右方向に水平に延びるとともに、前端部が下方に屈曲しており、それにより断面Ｌ字状に形成されている。また、ペダル土台８は、その両側端部および後端部において、両側板６ａ，６ｂおよび背面板７にそれぞれ連結されている。
【００１５】
本発明に係る楽譜収納装置５は、右側板６ｂと、右側板６ｂに形成された格納凹部１０と、右側板６ｂに回動自在に取り付けられた楽譜立て板材１１などで構成されている。格納凹部１０は、右側板６ｂの内側面の下部に矩形状に形成されており、ペダル土台８の上面（支持面）の高さから右側板６ｂの中央まで上下方向に延びるとともに、ペダル土台８とほぼ同じ前後方向の長さ（奥行き）を有している。
【００１６】
楽譜立て板材１１は、底板１２（第１の板材）および立板１３（第２の板材）で構成されている。底板１２および立板１３はいずれも、側板６ａ，６ｂと同じ材料で構成されるとともに、格納凹部１０よりも若干小さなサイズの矩形状に形成されている。底板１２および立板１３の厚さは、いずれも格納凹部１０の深さの約１／２（例えば９ｍｍ）に設定されるとともに、底板１２の長さは立板１３よりも若干長くなっている。また、底板１２は、その長さ方向の一端部において、前後２つの蝶番１４，１４を介して、右側板６ｂに回動自在に取り付けられている。具体的には、図３（ｂ）に示すように、底板１２の一端面に各蝶番１４の一方の羽１４ｂがねじ止めされ、他方の羽１４ｂは格納凹部１０の下面にねじ止めされている。この蝶番１４の軸１４ａは、格納凹部１０内に配置されている。
【００１７】
立板１３は、その一端部において、前後２つの蝶番１５，１５を介して、底板１２の他端部に回動自在に取り付けられている。具体的には、図３（ａ）に示すように、各蝶番１５の羽１５ｂ，１５ｂが底板１２の他端面と立板１３の一端面にそれぞれねじ止めされ、この蝶番１５の軸１５ａは、これらの端面の外側に配置されている。また、蝶番１５にはストッパ機構（図示せず）が設けられている。このストッパ機構は、立板１３が底板１２に対して９０度（直角）の位置まで回動したときに当接することによって、立板１３のそれ以上の回動を阻止するとともに、回動角度が９０度に近づいた際に、立板１３に摩擦抵抗を作用させるように構成されている。これにより、所定値以上の力を加えない限り、立板１３が底板１２側に倒れないようになっている。また、立板１３の底板１２と反対側の側面には、蝶番１５付近の位置に、磁石１６が取り付けられている。
【００１８】
格納凹部１０の上面の中央部には、指を入れて楽譜立て板材１１を容易に引き出せるようにするための取手口１０ａが形成されている（図４参照）。さらに、格納凹部１０には、立板１３の磁石１６に対応する位置において、一段深い凹部１０ｂが形成されており、この凹部１０ｂに、磁石１７が取り付けられている（図３（ａ）参照）。
【００１９】
次に、上記構成の楽譜収納装置５の動作を、図５を参照しながら説明する。同図（ａ）は、楽譜立て板材１１が格納位置にある状態を示している。この格納位置では、底板１２および立板１３は折りたたまれた状態で格納凹部１０内に格納されており、右側板６ｂの内側面と底板１２の左側面がほぼ面一になっている。さらに、この状態では、立板１３側の磁石１６が格納凹部１０側の磁石１７に吸着している。
【００２０】
この格納位置から、取手口１０ａに指を入れ、楽譜立て板材１１を内側に引くと、磁石１６，１７同士の吸着状態が解除されるとともに、底板１２および立板１３が重なり合った状態で、蝶番１４の軸１４ａを中心として同図の反時計回りに回動し、底板１２がペダル土台８の上面に当接し、水平に載置される（同図（ｂ）の状態）。次いで、立板１３を持ち上げ、蝶番１５の軸１５ａを中心として反時計回りに回動させる。そして、立板１３が、底板１２に対して９０度の角度まで回動すると、ストッパ機構の作用によって、それ以上の回動が阻止される。また、この位置では、ストッパ機構の摩擦抵抗により、立板１３の底板１２側への倒れが防止される。以上により、立板１３は、直立した状態で保持され、楽譜立て板材１１が使用位置に保持される（同図（ｃ）の状態）。
【００２１】
この使用位置では、右側板６ｂ、底板１２および立板１３によって収納部２１が形成され、この収納部２１に楽譜を収納することができる。また、この使用位置から上記と逆の操作を行うことによって、楽譜立て板材１１を格納位置に移動させることができる。
【００２２】
以上のように、本実施形態の楽譜収納装置５によれば、楽譜立て板材１１の底板１２および立板１３が、右側板６ｂの収納凹部１０に格納される格納位置と、ペダル土台８の上に載置され、楽譜を収納するための収納部２１を形成する使用位置との間で移動自在である。したがって、楽譜立て板材１１を使用位置に移動させることによって、右側板６ｂ、底板１２および立板１３で囲まれた収納部２１に楽譜を収納することができる。一方、ピアノの発表会の場合などの不使用時には、楽譜立て板材１１を格納位置に移動させ、右側板６ｂの格納凹部１０に格納することができる。このように、不使用時には、楽譜立て板材１１が右側板６ｂの格納凹部１０内に格納され、楽譜立て板材１１が右側板６ｂの内側面に対してほぼ面一になり、右側板６ｂからはみ出ることがないので、通常の電子ピアノと変わらないすっきりとした外観を得ることができる。さらに、底板１２および立板１３が、重ね合わされた状態で格納凹部１０に格納されるので、格納凹部１０をコンパクトにすることができる。また、楽譜立て板材１１が単純な矩形状の２枚の板材のみで構成されているため、加工が容易であるとともに板材の数が少ないので、比較的安価に作製することができる。
【００２３】
また、スタンド４が左右の側板６ａ，６ｂのみで構成され、ペダル土台８が存在しないような簡易型の電子ピアノでも、底板１２を床面Ｆに載置し、立板１３と右側板６ｂとの間に収容部２１を形成することによって、楽譜を収納することができる。さらに、ストッパ機構により、立板１３が底板１２側に不意に倒れることを防止でき、安定した状態で楽譜を収納することができる。また、格納位置においては、楽譜立て板材１１は、磁石１６，１７を介して右側板６ｂに吸着している。したがって、ピアノの演奏時に、右側板６ｂに振動が伝わった場合でも、右側板６ｂと楽譜立て板材１１が別々に振動することがないので、雑音の発生を防止することができる。なお、図１や図５（ｂ）に示すように、右側板６ｂの格納凹部１０の底面に、緩衝材１８，１８を取り付け、格納位置において立板１３の側面をこれらの緩衝材１８に接触させるようにしてもよい。それにより、振動をさらに防止することができる。
【００２４】
図６は、本発明の第２実施形態による楽譜収納装置３１を含む電子ピアノ３２を示している。同図において、第１実施形態と同じ構成の部分については、同じ符号を用いて示している。この楽譜収納装置３１は、第１実施形態と比較して、主に右側板６ｂと楽譜立て板材３４を連結するリンク棒３５をさらに備える点が異なるものである。
【００２５】
同図に示すように、右側板６ｂの内側面には、ほぼその全体にわたって格納凹部３３が形成されている。第１実施形態と同様、格納凹部３３の下面は、ペダル土台８の上面に連続している。また、格納凹部３３の前後の面の下端部には、後述する底板３６を取り付けるための軸穴（図示せず）が形成され、後面の軸穴の上側には、リンク棒３５を取り付けるための軸穴（図示せず）が形成されている。また、格納凹部３３の底面の上端部中央には、磁石５１が埋め込まれている。
【００２６】
楽譜立て板材３４は、底板３６および立板３７で構成されており、いずれも側板６ａ，６ｂと同じ材料から矩形状に形成されている。図７に示すように、底板３６の一端部の前端部および後端部は切り欠かれ、これらの間が突出部３６ａになっていて、突出部３６ａの前面および後面には、軸穴３６ｃが形成されている。一方、底板３６の他端部の前端部および後端部には、２つの連結部３６ｂ，３６ｂが上方に突出するように設けられており、各連結部３６ｂには、前後方向に貫通する軸孔３６ｄが形成されている。また、同図（ｂ）に示すように、突出部３６ａおよび各連結部３６ｂの各端面には、半円状の丸みが形成されている。さらに、底板３６の連結部３６ｂを除く他端面には、その前後方向の全体にわたって、軸孔３６ｄの同心状の断面円弧状の凹部３６ｅが形成されている。
【００２７】
底板３６は、その突出部３６ａが格納凹部３３の下端部に嵌め込まれた状態で、各軸穴３６ｃおよび格納凹部３３の前述した各軸穴に差し込まれたピン３８を介して、右側板６ｂに回動自在に取り付けられている。
【００２８】
立板３７は、底板３６と同じ厚さおよび幅を有しており、一端部の前後の角部には丸みが付けられている。また、他端部の前端部および後端部は切り欠かれており、これらの間が突出部３７ａになっている。また、立板３７の一端部には取手口３９が、突出部３７ａの前面および後面には、軸穴３７ｂが、立板３７の後面の突出部３７ａ寄りには、リンク棒３５を取り付けるための軸穴３７ｃがそれぞれ形成されている。さらに、立板３７には、取手口３９の裏面側に磁石５２が埋め込まれている（図７（ｂ）参照）。
【００２９】
底板３６および立板３７は、底板３６の両連結部３６ｂ，３６ｂの間に立板３７の突出部３７ａが係合した状態で、各軸孔３６ｄおよび各軸穴３７ｂに差し込まれたピン４０を介して、互いに回動自在に連結されている。また、格納凹部３３の後面の軸穴と立板３７の軸穴３７ｃには、ピン４１ａ，４１ｂがそれぞれ差し込まれており、これらのピン４１ａ，４１ｂにリンク棒３５が回動自在に取り付けられている。このリンク棒３５は、例えば金属で構成され、図６および図８に示すように、底板３６と同じ長さを有している。また、ピン３８とピン４１ａの間の距離は、ピン４０とピン４１ｂの間の距離に等しい。すなわち、右側板６ｂ、底板３６、立板３７およびリンク棒３５によって、４節平行リンクが構成されている。
【００３０】
次に、楽譜収納装置３１の動作を、図８を参照しながら説明する。同図（ａ）に示すように、格納位置では、楽譜立て板材３４およびリンク棒３５は、格納凹部３３内に格納されている。この状態では、底板３６および立板３７は、上下方向に一直線に並んだ状態で格納されており、また、底板３６および立板３７の左側面が、右側板６ｂの内側面にほぼ面一であるとともに、磁石５１，５２同士が吸着している。この格納位置から取手口３９を介して、立板３７を内側に引くと、磁石５１，５２の吸着状態が解除されるとともに、底板３６およびリンク棒３５が、それぞれピン３８およびピン４１ａを中心として反時計回りに回動し、その間、立板３７は右側板６ｂと平行な姿勢を保持したまま移動する（同図（ｂ）参照）。その際、立板３７は、その下端部において底板３６の凹部３６ｅとの間隔を保ったまま、断面円弧状の凹部３６ｅに沿って回り込むように相対的に回動する。そして、底板３６がペダル土台８の上面に載置されることによって、楽譜立て板材３４の底板３６および立板３７は、使用位置に移動し、右側板６ｂと立板３７との間に収納部４２が形成される（同図（ｃ）の状態）。また、この使用位置から上記と逆の操作を行うことによって、楽譜立て板材３４を格納位置に移動させることができる。
【００３１】
以上の構成により、第２実施形態においても、使用時には、右側板６ｂと立板３７との間に形成された収納部４２に、楽譜を収納できるとともに、不使用時には、楽譜立て板材３４およびリンク棒３５を格納凹部３３に格納できるなど、前述した第１実施形態による効果をまったく同様に得ることができる。さらに、リンク棒３５を用いた４節平行リンクにより、立板３７を、右側板６ｂと平行な姿勢に保持したまま移動させることができるので、例えばユーザーが椅子に座ったまま、楽譜立て板材３４を格納位置と使用位置に片手で容易にセットすることができる。また、リンク棒３５はステーとしての役割も果たすので、収納部４２に比較的重い楽譜が収納された場合でも、これを十分に支持することができる。
【００３２】
なお、本発明は、説明した実施形態に限定されることなく、種々の態様で実施することができる。例えば、実施形態では、格納凹部１０，３３が右側板６ｂに形成されているが、スタンド４の他の部分に形成してもよく、例えば左側板６ａでもよく、さらにはペダル土台８でもよい。また、実施形態では、楽譜立て板材が２枚の板材で構成されているが、この枚数に限らず、１枚または３枚以上で構成してもよい。楽譜立て板材が１枚の場合には、例えば、ペダル土台８の上面にレールを設けるとともに、立板の下面にローラやストッパを取り付け、立板を立てた状態でスライドさせるようにしてもよい。それにより、不使用時には立板を格納凹部に格納できるとともに、使用時には立板を格納凹部からスライドさせることにより、楽譜を収納できる。
【００３３】
また、第１実施形態では、楽譜立て板材１１の使用位置において、立板１３がストッパ機構のみで支持されているが、補強用の器具で補強してもよく、例えばステーの一端部を立板１３に回動自在に取り付けるとともに、ステーの他端部を底板１２や右側板６ｂに着脱自在に係合させることによって、支持力を高めてもよい。また、楽譜の収納時に楽譜の横滑りを防止するために、底板１２，３６の上面に例えば溝を形成したり、ゴムを貼り付けたりしてもよい。
【００３４】
また、実施形態は本発明を電子ピアノに適用した例であるが、本発明を電子オルガンやアップライトピアノなどに適用してもよいことはもちろんである。その他、本発明の趣旨の範囲内で、細部の構成を適宜、変更することが可能である。
【符号の説明】
【００３５】
１  電子ピアノ（鍵盤楽器）
３  ピアノ本体（楽器本体）
４  スタンド
５  楽譜収納装置
６  側板
１０  格納凹部
１１  楽譜立て板材
１２  底板（第１の板材）
１３  立板（第２の板材）
２１  収納部
３１  楽譜収納装置
３２  電子ピアノ（鍵盤楽器）
３３  格納凹部
３４  楽譜立て板材
３６  底板（第１の板材）
３７  立板（第２の板材）
４２  収納部
【図１】
2005208081.tif 000003
【図２】
2005208081.tif 000004
【図３】
2005208081.tif 000005
【図４】
2005208081.tif 000006
【図５】
2005208081.tif 000007
【図６】
2005208081.tif 000008
【図７】
2005208081.tif 000009
【図８】
2005208081.tif 000010